(57)【要約】【課題】  客数の多い会場においても時間が長くかからず、玉の色の種類を増やさなくとも景品の種類を増やすことができる抽選器を提供すること。【解決手段】  多角柱状の箱体で内部空間に多数の玉を収容する玉箱と、該玉箱を多角柱の底面をなす底面壁の中心軸回りに回転可能に且つ該中心軸を水平に支持する支持部材とからなり、玉箱は多角柱の１つの側面壁に、玉が１個のみ通過可能な大きさの排出孔を複数個備えることを特徴とする抽選器とする。【選択図】図１
2010055535.tif 000002
【特許請求の範囲】
【請求項１】
多角柱状の箱体で内部空間に多数の玉を収容する玉箱と、該玉箱を前記多角柱の底面をなす底面壁の中心軸回りに回転可能に且つ該中心軸を水平に支持する支持部材とからなり、
前記玉箱は多角柱の１つの側面壁に、前記玉が１個のみ通過可能な大きさの排出孔を複数個備えることを特徴とする抽選器。
【請求項２】
前記排出孔が設けられた側面壁の内側に、前記側面壁と平行に且つ該側面壁との間に前記玉が１個のみ通過可能な隙間を有して内壁が設けられており、
前記内壁には前記玉が１個のみ通過可能な大きさの案内孔が前記排出孔と同数設けられており、
前記隙間には、前記玉箱の回転に伴って回転方向前後に摺動するスライドプレートが配設され、該スライドプレートには、前記玉が１個のみ通過可能な大きさの通孔が前記排出孔と同数設けられており、
前記スライドプレートの通孔は前記摺動の前後行程端において前記通孔が前記排出孔と前記案内孔の夫々に交互に連通することを特徴とする請求項１に記載の抽選器。
【請求項３】
前記排出孔が設けられた側面壁の回転方向前方に位置する側面壁から前記案内孔に向けて、前記玉が１個のみ通過可能な幅で前記案内孔に前記玉を導く案内溝が、回転方向に略平行に前記案内孔と同数形成されており、
前記玉箱は、２つの底面壁の夫々から前記案内溝に向けて下方向に傾斜する傾斜部を有することを特徴とする請求項２に記載の抽選器。
【請求項４】
前記案内溝の開口部の一部に該開口部を塞ぐ玉除け板を有することを特徴とする請求項３に記載の抽選器。
【請求項５】
前記内壁の内側には、前記玉が１個のみ通過可能な幅で前記案内孔に前記玉を導く第２の案内溝が、回転方向に略平行に前記案内孔と同数形成されており、
前記玉箱は、２つの底面壁の夫々から前記第２の案内溝に向けて下方向に傾斜する第２の傾斜部を有することを特徴とする請求項３又は４に記載の抽選器。
【発明の詳細な説明】
【技術分野】
【０００１】
本発明は、複数個の玉を同時に排出できる回転式の抽選器に関する。
【背景技術】
【０００２】
一般に、商店街の福引き等に用いられる抽選器で、六角柱や八角柱の箱体でハンドルがついており、回転させることによって中に入れた多数の玉から一つだけを無作為に取り出す回転式の抽選器は、新井式抽選器（特許文献１）として知られており、取り出された玉の色によって景品を決める抽選方式が取られる。
【０００３】
従来、このような抽選器では、１回転毎に玉を１個ずつ確実に排出できるように、例えば特許文献２に示されるような揺動体によって玉を１個ずつ分離して排出する等、様々な工夫がなされている。
【０００４】
しかしながら、従来の抽選器では、１回転毎に玉を１個ずつしか排出できないため、規模が大きく客数の多いショッピングモールや大型スーパーマーケットにおいては、１人が何回も抽選する場合等に抽選回数が多くなり時間がかかるといった問題があった。
【０００５】
また、上記した抽選方式しか採用できず、玉の色の種類と景品の種類が同数であり、玉の色の種類が限られていると景品の種類が増やせず、或いは景品の種類を増やすと玉の色の種類を増やさなければならないといった問題があった。
【０００６】
【特許文献１】特許第８９６９４号明細書
【特許文献２】実開昭５４−１５６００号公報
【発明の開示】
【発明が解決しようとする課題】
【０００７】
本発明が解決しようとする課題は、上記の問題を鑑み、客数の多い会場においても時間が長くかからず、玉の色の種類を増やさなくとも景品の種類を増やすことができる抽選器を提供することである。
【課題を解決するための手段】
【０００８】
請求項１に係る発明は、多角柱状の箱体で内部空間に多数の玉を収容する玉箱と、該玉箱を前記多角柱の底面をなす底面壁の中心軸回りに回転可能に且つ該中心軸を水平に支持する支持部材とからなり、前記玉箱は多角柱の１つの側面壁に、前記玉が１個のみ通過可能な大きさの排出孔を複数個備えることを特徴とする抽選器に関する。
【０００９】
請求項２に係る発明は、前記排出孔が設けられた側面壁の内側に、前記側面壁と平行に且つ該側面壁との間に前記玉が１個のみ通過可能な隙間を有して内壁が設けられており、前記内壁には前記玉が１個のみ通過可能な大きさの案内孔が前記排出孔と同数設けられており、前記隙間には、前記玉箱の回転に伴って回転方向前後に摺動するスライドプレートが配設され、該スライドプレートには、前記玉が１個のみ通過可能な大きさの通孔が前記排出孔と同数設けられており、前記スライドプレートの通孔は前記摺動の前後行程端において前記通孔が前記排出孔と前記案内孔の夫々に交互に連通することを特徴とする請求項１に記載の抽選器に関する。
【００１０】
請求項３に係る発明は、前記排出孔が設けられた側面壁の回転方向前方に位置する側面壁から前記案内孔に向けて、前記玉が１個のみ通過可能な幅で前記案内孔に前記玉を導く案内溝が、回転方向に略平行に前記案内孔と同数形成されており、前記玉箱は、２つの底面壁の夫々から前記案内溝に向けて下方向に傾斜する傾斜部を有することを特徴とする請求項２に記載の抽選器に関する。
【００１１】
請求項４に係る発明は、前記案内溝の開口部の一部に該開口部を塞ぐ玉除け板を有することを特徴とする請求項３に記載の抽選器に関する。
【００１２】
請求項５に係る発明は、前記内壁の内側には、前記玉が１個のみ通過可能な幅で前記案内孔に前記玉を導く第２の案内溝が、回転方向に略平行に前記案内孔と同数形成されており、前記玉箱は、２つの底面壁の夫々から前記第２の案内溝に向けて下方向に傾斜する第２の傾斜部を有することを特徴とする請求項３又は４に記載の抽選器に関する。
【発明の効果】
【００１３】
請求項１に係る発明によれば、多角柱状の箱体で内部空間に多数の玉を収容する玉箱と、該玉箱を多角柱の底面をなす底面壁の中心軸回りに回転可能に且つ該中心軸を水平に支持する支持部材とからなり、玉箱は多角柱の１つの側面壁に、玉が１個のみ通過可能な大きさの排出孔を複数個備えることにより、玉を排出孔と同じ数ずつ同時に排出できるので、抽選にかかる時間を短縮できる。また、同時に排出した玉の色の組み合わせによって景品を決めることができるので、玉の色の種類を増やさなくても景品の種類を増やすことができる。
【００１４】
請求項２に係る発明によれば、排出孔が設けられた側面壁の内側に、側面壁と平行に且つ該側面壁との間に玉が１個のみ通過可能な隙間を有して内壁が設けられており、内壁には玉が１個のみ通過可能な大きさの案内孔が排出孔と同数設けられており、隙間には、玉箱の回転に伴って回転方向前後に摺動するスライドプレートが配設され、該スライドプレートには、玉が１個のみ通過可能な大きさの通孔が排出孔と同数設けられており、スライドプレートの通孔は摺動の前後行程端において通孔が排出孔と案内孔の夫々に交互に連通することにより、１回転毎に確実に排出孔と同じ数の玉を同時に排出することができる。
【００１５】
請求項３に係る発明によれば、排出孔が設けられた側面壁の回転方向前方に位置する側面壁から案内孔に向けて、玉が１個のみ通過可能な幅で案内孔に玉を導く案内溝が、回転方向に略平行に案内孔と同数形成されており、玉箱は、２つの底面壁の夫々から案内溝に向けて下方向に傾斜する傾斜部を有することにより、玉を案内孔に確実に入れることができるので、より確実に１回転毎に排出孔と同じ数の玉を同時に排出することができる。
【００１６】
請求項４に係る発明によれば、案内溝の開口部の一部に該開口部を塞ぐ玉除け板を有することにより、玉が案内溝へ進入する場所を制限でき、玉を多数収容している場合であっても、案内溝内に並んだ玉の一部には多数の玉の重さが加わらないので、案内溝内の玉が詰まって案内孔に玉が入らないといったことがなく、１回転毎に確実に排出孔と同じ数の玉を同時に排出することができる。
【００１７】
請求項５に係る発明によれば、内壁の内側には、玉が１個のみ通過可能な幅で案内孔に玉を導く第２の案内溝が、回転方向に略平行に案内孔と同数形成されており、玉箱は、２つの底面壁の夫々から第２の案内溝に向けて下方向に傾斜する第２の傾斜部を有することにより、より確実に案内孔へ玉を導くことができるので、１回転毎に確実に排出孔と同じ数の玉を同時に排出することができる。
【発明を実施するための最良の形態】
【００１８】
以下、本発明に係る抽選器の好適な実施形態について、図面を参照しつつ説明する。
図１は、本発明に係る抽選器の外観図である。
図１に示すように抽選器（１００）は、正八角柱の箱体で内部に抽選用の玉（Ｓ）（図１では図示せず）を多数収容する玉箱（１０１）と、この玉箱（１０１）を回転可能に支持する支持部材とからなる。支持部材は、玉箱（１０１）の正八角柱の底面を形成する底面壁（１）の中心を結ぶ回転軸（１０２）を水平に支持する支持脚（１０３）と、支持脚（１０３）が立設された台座（１０４）からなる。
なお、玉箱（１０１）の形状は多角柱であれば良く、正八角柱には限定されず正六角柱や正十二角柱等であっても良い。
また、玉箱（１０１）の材質としては、例えば木材や熱可塑性樹脂等が挙げられるが特に限定されるものではない。
【００１９】
正八角柱の側面を形成する８つの側面壁のうちの１つの側面壁（２）には、夫々玉（Ｓ）を１個ずつ排出できる大きさの排出孔（２１）が、正八角柱の高さ方向（図中矢印ｈ方向）に２個並設されている。
なお、本実施形態では排出孔（２１）の数は２個としているが、これに限定されるものではなく、３個以上であっても良い。しかし一度に排出される玉（Ｓ）が多すぎると、抽選を行う者が排出された玉（Ｓ）を掏りかえる等の不正を行った場合に発見し難いため、排出孔（２１）は２〜４個であることが好ましい。
また、排出孔（２１）の形状は図１では円形としているが、これに限定されず、例えば矩形等であっても良い。
【００２０】
抽選器（１００）は、ハンドル（１０５）を図中矢印θ方向（以下、本明細書中にて回転方向と称す）に回転させることによって玉箱（１０１）を回転させて、排出孔（２１）から玉（Ｓ）を排出することができる。
【００２１】
ここで、玉箱（１０１）が排出孔（２１）を２個有することで、玉（Ｓ）を２個ずつ排出できるので、抽選回数の多い場合でも抽選時間を短縮することができる。
【００２２】
また、玉（Ｓ）が２個ずつ排出されることにより、玉（Ｓ）の色の種類が限られていても出た玉（Ｓ）の色の組合せにより抽選結果の等級を決めることができるので、景品の種類を増やすことができる。
例えば、玉（Ｓ）の色が４種類の場合１０通りの組み合わせが可能であり、５種類の場合１５通りの組み合わせが可能である。
また排出孔（２１）は３個やそれ以上でもよく、排出孔（２１）がｎ個の時で玉（Ｓ）の色がｍ種類（ｍ≧２）である時は、｛（ｎ＋ｍ−１）！｝／｛ｎ！・（ｍ−１）！｝通りの組合せが可能である。
【００２３】
図２は本発明に係る抽選器の内部構造を示す模式図で図１におけるＡ−Ａ矢視図である。
図３は本発明に係る抽選器の部分模式断面図で図２におけるＢ−Ｂ矢視図である。
図４は本発明に係る抽選器の部分模式断面図で図３におけるＣ−Ｃ矢視図である。
【００２４】
本発明に係る抽選器（１００）は、図３，４に示すように、排出孔（２１）が位置する側面壁（２）の内側には側面壁（２）と平行に内壁（３）が設けられており、側面壁（２）と内壁（３）の間には、玉（Ｓ）（図２〜４では図示せず）１個のみが通過可能な隙間（Ｇ）を有している。内壁（３）には、玉（Ｓ）が１個のみ通過可能な大きさの案内孔（３１）が、排出孔（２１）と正八角柱の高さ方向（ｈ方向）で一致し回転方向では一致しない位置に２個設けられている。
図３では、案内孔（３１）は内壁（３）の回転方向の略中央部分に設けられているが、特に限定されない。
【００２５】
隙間（Ｇ）には、スライドプレート（４）が配設されている。
図５にスライドプレート（４）の斜視図を示す。
スライドプレート（４）は、図４、５に示すように隙間（Ｇ）よりやや小さい厚みの矩形板状で、玉（Ｓ）（図示略）が１個のみ通過可能な大きさの通孔（４１）を２個有している。
スライドプレート（４）は、隙間（Ｇ）内を回転方向（側面壁（２）に沿う方向）に摺動し、その後方行程端では通孔（４１）が排出孔（２１）に連通し、前方行程端では通孔（４１）は案内孔（３１）と連通する。
スライドプレート（４）の材質は、特に限定されないが、例えばアクリル樹脂等の熱可塑性樹脂や木材等が用いられる。
【００２６】
なお、案内孔（３１）及び通孔（４１）は、本実施形態では２個としているが、これは排出孔（２１）と同数であればよく、排出孔（２１）が３個の場合は何れも３個、排出孔（２１）がｎ個の場合はｎ個となる。
また、本実施形態では案内孔（３１）及び通孔（４１）の形状は円形であるが、これに限定されるものではなく、例えば矩形等であっても良い。
【００２７】
案内孔（３１）の回転方向前方には、図２，３及び４に示すように、側面壁（２）の回転方向前方に隣接する側面壁（５）の回転方向前方端部から案内孔（３１）に向かって、玉（Ｓ）が１個のみ通過可能な幅で案内孔（３１）に玉（Ｓ）を導く案内溝（５１）が、回転方向に略平行に２列形成されており、玉箱（１０１）は、両側の底面壁（１）夫々から案内溝（５１）に向けて下方向に傾斜する傾斜部（５２）を有している。
【００２８】
玉箱（１０１）を回転させることによって側面壁（５）が下方に位置すると、玉箱（１０１）の内部に収容した玉（Ｓ）は側面壁（５）の上方に集まり、側面壁（５）の上方に集まった玉（Ｓ）は傾斜部（５２）によって案内溝（５１）へと導かれる。
案内溝（５１）に入った玉（Ｓ）は、玉箱（１０１）の回転に伴って案内溝（５１）内を移動し、案内孔（３１）夫々に１個ずつ入る。
案内溝（５１）は案内孔（３１）の回転方向前方に位置するので、玉箱（１０１）を回転させたときに、案内孔（３１）の回転方向前方に集まる玉（Ｓ）を確実に案内孔（３１）に導くことができる。
【００２９】
内壁（３）の内側、案内孔（３１）の回転方向後方には、図２，３及び４に示すように、案内溝（５１）及び傾斜部（５２）と同様の断面形状を有する案内溝（３２）及び傾斜部（３３）が形成されていることが好ましい。
案内孔（３１）の回転方向後方に位置する玉（Ｓ）も案内孔（３１）に導くことができるからである。
【００３０】
なお、案内溝（５１）及び案内溝（３２）は、本実施形態では２列であるが、案内孔（３１）と同様に排出孔（２１）と同数であり、排出孔（２１）が３個の場合は３列、ｎ個の場合はｎ列形成される。
【００３１】
図６は玉（Ｓ）の排出動作を示す図で、図６（ａ）は玉箱（１０１）が回転方向に回転して側面壁（２）が最下部に近づいている時の状態を示す図であり、図６（ｂ）は玉（Ｓ）が排出孔（２１）から排出されている状態を示す図である。
【００３２】
玉箱（１０１）が回転し、側面壁（２）が上方から最下部に向かって近づくと、スライドプレート（４）は自重により摺動して回転方向前方に移動する。
図６（ａ）に示すように、スライドプレート（４）が回転方向前方の行程端に達すると通孔（４１）が案内孔（３１）と連通し、案内孔（３１）にある玉（Ｓ）が通孔（４１）に移る。
【００３３】
玉（Ｓ）が通孔（４１）に移ると、続いて案内溝（３２）又は案内溝（５１）にある次の玉（Ｓ）が案内孔（３１）に入る。
スライドプレート（４）が位置する隙間（Ｇ）は玉（Ｓ）１個のみが通過可能であるので通孔（４１）は玉（Ｓ）で塞がっており、この時、案内孔（３１）に入った次の玉（Ｓ）は案内孔（３１）内で止まる。また、スライドプレート（４）が摺動すると案内孔（３１）の下方をスライドプレート（４）が塞ぐので次の玉（Ｓ）は案内孔（３１）に留まる。
【００３４】
玉箱（１０１）が回転し、側面壁（２）が最下部を越えて上昇し始めるとスライドプレート（４）は自重によって回転方向後方へ移動し始める。
図６（ｂ）のようにスライドプレート（４）が回転方向前方の行程端に達すると、通孔（４１）が排出孔（２１）と連通し、玉（Ｓ）を排出する。
【００３５】
上記したように、玉箱（１０１）内部に収容した玉（Ｓ）はスライドプレート（４）によって１回転につき排出孔と同じ数ずつ（本実施形態においては２個ずつ）他の玉（Ｓ）と分離され、確実に排出される。
また、回転方向の逆方向に回転させた場合は、玉（Ｓ）は排出されない。
【００３６】
抽選器（１００）は、図２，４に示すように、案内溝（５１）の開口部の一部分（本実施形態では案内孔（３１）の直近）に、該開口部に蓋をして開口部を塞ぐ玉除け板（６）を備えている。
【００３７】
以下、図７を用いて玉除け板（６）の作用を説明する。
図７は、側面壁（２）と側面壁（５）の境界部分が下方に位置する時に案内溝（５１）が玉（Ｓ）で満たされた状態を示し、図７（ａ）は玉除け板（６）を有さない場合、図７（ｂ）は玉除け板（６）を有する場合を示している。
【００３８】
玉箱（１０１）に玉（Ｓ）が多数収容されており、側面壁（２）と側面壁（５）の境界部分が下方に位置する時に案内溝（５１）が玉（Ｓ）で満たされると、案内溝（５１）に入りきらない玉（Ｓ）が案内溝（５１）内の玉（Ｓ）の上に積み重なり、案内溝（５１）内の玉（Ｓ）に荷重がかかる。
この時、玉除け板（６）を有していないと、案内溝（５１）の全長に亘って玉（Ｓ）に荷重がかかり、図７（ａ）に示すように案内溝（５１）を満たす玉（Ｓ）が案内溝（５１）の両端で突っ張り、詰まってしまうことがある。そうすると、玉（Ｓ）が案内孔（３１）に落下して入らず、１回転毎に排出孔（２１）の数と同数の玉（Ｓ）を確実に排出できない場合がある。
【００３９】
玉除け板（６）を有していれば、玉（Ｓ）が玉除け板（６）の位置からは案内溝（５１）へ進入できず、当該部分で案内溝（５１）内に位置する玉（Ｓ）には荷重がかからずに、図７（ｂ）に示すように案内溝（５１）内の玉（Ｓ）と玉除け板（６）の間に空間（Ｒ）ができる。従って、玉除け板（６）の位置する部分で案内溝（５１）内の玉（Ｓ）は動くことができ、案内溝（５１）内の玉（Ｓ）が詰まって案内孔（３１）に入らないといったことがなく、１回転毎に確実に排出孔（２１）の数と同数の玉（Ｓ）を同時に排出することができる。
【産業上の利用可能性】
【００４０】
本発明は、福引き等に用いられる回転式の抽選器やビンゴゲーム機等に利用できる。
【図面の簡単な説明】
【００４１】
【図１】本発明に係る抽選器の外観図である。
【図２】本発明に係る抽選器の内部構造を示す模式図で図１におけるＡ−Ａ矢視図である。
【図３】本発明に係る抽選器の部分模式断面図で図２におけるＢ−Ｂ矢視図である。
【図４】本発明に係る抽選器の部分模式断面図で図３におけるＣ−Ｃ矢視図である。
【図５】本発明に係る抽選器のスライドプレートを示す斜視図である。
【図６】本発明に係る抽選器の玉の排出動作を示す図である。
【図７】本発明に係る抽選器の玉除け板の作用を説明する図である。
【符号の説明】
【００４２】
１００  抽選器
１０１  玉箱
１      底面壁
２      側面壁
２１    排出孔
３      内壁
３１    案内孔
３２    案内溝
３３    傾斜部
４      スライドプレート
４１    通孔
６      玉除け板
５      側面壁
５１    案内溝
５２    傾斜部
Ｓ      玉
【図１】
2010055535.tif 000003
【図２】
2010055535.tif 000004
【図３】
2010055535.tif 000005
【図４】
2010055535.tif 000006
【図５】
2010055535.tif 000007
【図６】
2010055535.tif 000008
【図７】
2010055535.tif 000009
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
多角柱状の箱体で内部空間に多数の玉を収容する玉箱と、該玉箱を前記多角柱の底面をなす底面壁の中心軸回りに回転可能に且つ該中心軸を水平に支持する支持部材とからなり、
前記玉箱は多角柱の１つの側面壁に、前記玉が１個のみ通過可能な大きさの排出孔を複数個備え、
前記排出孔が設けられた側面壁の内側に、前記側面壁と平行に且つ該側面壁との間に前記玉が１個のみ通過可能な隙間を有して内壁が設けられており、
前記内壁には前記玉が１個のみ通過可能な大きさの案内孔が前記排出孔と同数設けられており、
前記隙間には、前記玉箱の回転に伴って回転方向前後に摺動するスライドプレートが配設され、該スライドプレートには、前記玉が１個のみ通過可能な大きさの通孔が前記排出孔と同数設けられており、
前記スライドプレートの通孔は前記摺動の前後行程端において前記通孔が前記排出孔と前記案内孔の夫々に交互に連通し、
前記排出孔が設けられた側面壁の回転方向前方に位置する側面壁から前記案内孔に向けて、前記玉が１個のみ通過可能な幅と深さで前記案内孔に前記玉を導く案内溝が、回転方向に略平行に前記案内孔と同数形成されており、
前記玉箱は、２つの底面壁の夫々から前記案内溝に向けて下方向に傾斜する傾斜部を有しており、
前記案内溝の開口部を、前記案内孔の回転方向前方直近にて塞ぐ玉除け板を有することを特徴とする抽選器。
【請求項２】
前記内壁の内側には、前記玉が１個のみ通過可能な幅と深さで前記案内孔に前記玉を導く第２の案内溝が、回転方向に略平行に前記案内孔と同数形成されており、
前記玉箱は、２つの底面壁の夫々から前記第２の案内溝に向けて下方向に傾斜する第２の傾斜部を有することを特徴とする請求項１に記載の抽選器。
【手続補正２】
【補正対象書類名】明細書
【補正対象項目名】０００８
【補正方法】変更
【補正の内容】
【０００８】
請求項１に係る発明は、多角柱状の箱体で内部空間に多数の玉を収容する玉箱と、該玉箱を前記多角柱の底面をなす底面壁の中心軸回りに回転可能に且つ該中心軸を水平に支持する支持部材とからなり、前記玉箱は多角柱の１つの側面壁に、前記玉が１個のみ通過可能な大きさの排出孔を複数個備え、前記排出孔が設けられた側面壁の内側に、前記側面壁と平行に且つ該側面壁との間に前記玉が１個のみ通過可能な隙間を有して内壁が設けられており、前記内壁には前記玉が１個のみ通過可能な大きさの案内孔が前記排出孔と同数設けられており、前記隙間には、前記玉箱の回転に伴って回転方向前後に摺動するスライドプレートが配設され、該スライドプレートには、前記玉が１個のみ通過可能な大きさの通孔が前記排出孔と同数設けられており、前記スライドプレートの通孔は前記摺動の前後行程端において前記通孔が前記排出孔と前記案内孔の夫々に交互に連通し、前記排出孔が設けられた側面壁の回転方向前方に位置する側面壁から前記案内孔に向けて、前記玉が１個のみ通過可能な幅と深さで前記案内孔に前記玉を導く案内溝が、回転方向に略平行に前記案内孔と同数形成されており、前記玉箱は、２つの底面壁の夫々から前記案内溝に向けて下方向に傾斜する傾斜部を有しており、前記案内溝の開口部を、前記案内孔の回転方向前方直近にて塞ぐ玉除け板を有することを特徴とする抽選器に関する。
【手続補正３】
【補正対象書類名】明細書
【補正対象項目名】０００９
【補正方法】変更
【補正の内容】
【０００９】
請求項２に係る発明は、前記内壁の内側には、前記玉が１個のみ通過可能な幅と深さで前記案内孔に前記玉を導く第２の案内溝が、回転方向に略平行に前記案内孔と同数形成されており、
前記玉箱は、２つの底面壁の夫々から前記第２の案内溝に向けて下方向に傾斜する第２の傾斜部を有することを特徴とする請求項１に関する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項１に係る発明によれば、多角柱状の箱体で内部空間に多数の玉を収容する玉箱と、該玉箱を多角柱の底面をなす底面壁の中心軸回りに回転可能に且つ該中心軸を水平に支持する支持部材とからなり、玉箱は多角柱の１つの側面壁に、玉が１個のみ通過可能な大きさの排出孔を複数個備えることにより、玉を排出孔と同じ数ずつ同時に排出できるので、抽選にかかる時間を短縮できる。また、同時に排出した玉の色の組み合わせによって景品を決めることができるので、玉の色の種類を増やさなくても景品の種類を増やすことができる。
排出孔が設けられた側面壁の内側に、側面壁と平行に且つ該側面壁との間に玉が１個のみ通過可能な隙間を有して内壁が設けられており、内壁には玉が１個のみ通過可能な大きさの案内孔が排出孔と同数設けられており、隙間には、玉箱の回転に伴って回転方向前後に摺動するスライドプレートが配設され、該スライドプレートには、玉が１個のみ通過可能な大きさの通孔が排出孔と同数設けられており、スライドプレートの通孔は摺動の前後行程端において通孔が排出孔と案内孔の夫々に交互に連通することにより、１回転毎に確実に排出孔と同じ数の玉を同時に排出することができる。
また、排出孔が設けられた側面壁の回転方向前方に位置する側面壁から案内孔に向けて、玉が１個のみ通過可能な幅と深さで案内孔に玉を導く案内溝が、回転方向に略平行に案内孔と同数形成されており、玉箱は、２つの底面壁の夫々から案内溝に向けて下方向に傾斜する傾斜部を有することにより、玉を案内孔に確実に入れることができるので、より確実に１回転毎に排出孔と同じ数の玉を同時に排出することができる。
さらに、案内溝の開口部を、案内孔の回転方向前方直近にて塞ぐ玉除け板を有することにより、玉が案内溝へ進入する場所を制限でき、玉を多数収容している場合であっても、案内溝内に並んだ玉の一部には多数の玉の重さが加わらないので、案内溝内の玉が詰まって案内孔に玉が入らないといったことがなく、１回転毎に確実に排出孔と同じ数の玉を同時に排出することができる。
【手続補正８】
【補正対象書類名】明細書
【補正対象項目名】００１４
【補正方法】変更
【補正の内容】
【００１４】
請求項２に係る発明によれば、内壁の内側には、玉が１個のみ通過可能な幅と深さで案内孔に玉を導く第２の案内溝が、回転方向に略平行に案内孔と同数形成されており、玉箱は、２つの底面壁の夫々から第２の案内溝に向けて下方向に傾斜する第２の傾斜部を有することにより、より確実に案内孔へ玉を導くことができるので、１回転毎に確実に排出孔と同じ数の玉を同時に排出することができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】